(57)【要約】【課題】画像読取装置は、給紙台に載置された時の原稿の主走査方向の位置に基づいて、画像データから原稿以外の部分を削除して原稿の画像データを形成する。しかし、給紙台から読取位置に搬送されるまでにレジストローラによる原稿の向きの修正によって、原稿の主走査方向の位置がずれることがある。このため、形成した画像データに、原稿の一部や全部が含まれない場合や、原稿と関係のない画像が含まれたりすることが発生する。【解決手段】本発明の画像読取装置は、レジストローラと原稿の読取位置の間にある位置検知位置で光学式ユニットを照射して原稿の主走査方向の位置の検知を行う。その後、画像読取装置は、光学式ユニットを読取位置に移動させて、読取位置で原稿の読み取りを行う。画像形成装置は、位置検知位置で検知した主走査方向の位置と、読取位置での原稿の読み取りにより得られた画像データから原稿の画像データの形成を行う。【選択図】図１
2005184439.tif 000002
【特許請求の範囲】
【請求項１】
給紙台に載置された原稿を読取位置へ搬送する搬送手段と、搬送中に発生する原稿の傾きを修正するレジストローラと、上記読取位置にある光学式ユニットから発せられた光から原稿の画像データを形成する画像処理手段を備えた画像読取装置において、
上記レジストローラと上記読取位置の間にある位置検知位置に原稿が搬送されたことを検知する搬送位置検知手段と、
上記検知が行われた時に、上記位置検知位置で上記光学式ユニットを照射させ、原稿が上記読取位置に到達するまでに上記光学式ユニットを上記読取位置に移動させる光学式ユニット制御手段を備え、
上記画像処理手段は、上記位置検知位置での照射によって発せられた光に基づいて原稿の主走査方向の位置を検知し、検知した原稿の主走査方向の位置にも基づいて上記画像データの形成を行うことを特徴とする画像読取装置。
【請求項２】
上記光学式ユニット制御手段は、原稿の搬送速度よりも速い速度で上記光学式ユニットを移動させる請求項１に記載の画像読取装置。
【請求項３】
上記搬送手段は、上記原稿を上記位置検知位置から上記読取位置に搬送するまでに、原稿の搬送を一時停止する請求項１に記載の画像読取装置。
【請求項４】
表面が黒色の黒領域がプラテンカバーの上記位置検知位置に対向する位置に配置され、表面が白色の白領域がプラテンカバーの上記読取位置に対向する位置に配置された押さえ板を備えた請求項１から３の何れか１項に記載の画像読取装置。
【請求項５】
給紙台に載置された原稿を搬送路に沿って読取位置に搬送する搬送手段と、搬送中に発生する原稿の傾きを修正するレジストローラと、上記読取位置にある光学式ユニットから発せられた光から原稿の画像データを形成する画像処理手段を備えた画像読取装置において、
表面が黒色の黒領域を表面が白色の白領域より上記搬送路の上流側に向けてプラテンカバーの上記読取位置に対向する位置に配置された押さえ板と、
上記光学式ユニットから白領域に向けて発せられた光を受光する第１の受光手段と、
上記光学式ユニットから黒領域に向けて発せられた光を受光する第２の受光手段と、
上記第１の受光手段が受光した光に基づいて原稿の主走査方向の位置を検知し、上記第２の受光手段が受光した光に基づいて作成される画像データから、上記検知された主走査方向の位置に基づいて、原稿の画像データを作成することを特徴とする画像読取装置。  
【発明の詳細な説明】
【技術分野】
【０００１】
本発明は、スキャナ、複写機、複合機、ファクシミリ等の自動原稿送り装置を備えた画像読取装置に関する。
【背景技術】
【０００２】
画像読取装置の原稿の読取方法として、給紙台に載置された原稿を搬送させながら、読取位置に静止したランプで原稿全体を照射する方法がある。上記ランプは、長手方向を主走査方向に向けて配置されている。上記ランプで画像読取装置が読み取ることができる全種類の原稿を読み取ることができるように、上記ランプの長手方向の長さは、画像読取装置が読み取ることができる主走査方向の最大長さ以上となっている。
【０００３】
そのため、原稿を読み取る場合、上記ランプから発せられた光は原稿だけでなく原稿の外側も照射する。特開平７−３０７２２号公報に記載されているように画像読取装置は、原稿や原稿の外側を照射した光を受光し、受光した光に基づいて画像データを形成する。受光した光には、原稿の外側を照射した光が含まれるので、受光した光に基づいて画像データを形成すると、形成された画像データに原稿の外側の画像データが含まれる。原稿の外側の画像データを削除するために、どの部分が原稿を照射した光に基づいて形成された画像データかを特定する必要がある。
【０００４】
画像読取装置は、原稿を照射した光かそうでない光かの判断に、給紙台に載置されている時の原稿の主走査方向の位置を用いる。給紙台に載置された原稿の主走査方向の位置を検知するために、原稿の主走査方向の位置の検知のためのセンサが給紙台に設けられている。
【特許文献１】特開平７−３０７２２号公報
【発明の開示】
【発明が解決しようとする課題】
【０００５】
上記給紙台に載置された原稿は、給紙ローラ、搬送ローラ等を備える自動原稿送り装置によって上記読取位置に搬送される。給紙台における原稿の載置状態や、搬送方向に対してローラの摩耗のばらつき等により、原稿が給紙台から上記読取位置に搬送されるまでに、原稿が傾いてしまうことがある。このような傾きは、サイズの異なる複数枚の原稿を給紙台に載置して、原稿の読み取りを行う場合に発生し易い。
【０００６】
原稿の向きの修正に、自動原稿送り装置に備えられたレジストローラが用いられる。原稿の向きは、原稿が上記読取位置に到達するまでに上記レジストローラによって修正される。
【０００７】
しかし、レジストローラにて原稿の傾きが修正されると、原稿の主走査方向の位置が、給紙台に載置されていた時の主走査方向の位置からずれることがある。上記のように、画像読取装置は、給紙台に載置されていた時の原稿の主走査方向の位置に基づいて原稿を照射した光かそうでない光かを判断している。従って、原稿の主走査方向の位置がずれると、画像処理装置は、上記読取位置において実際に原稿を照射した光を、原稿を照射していない光とみなし、原稿を照射していない光を、原稿を照射した光とみなすことがある。このため、形成した画像データに、原稿の一部や全部が含まれない場合や、原稿と関係のない画像が含まれたりすることがある。
【０００８】
そこで本発明は、原稿の主走査方向のずれに関係なく、原稿の画像データを正確に形成することができる画像読取装置を目的とする。
【課題を解決するための手段】
【０００９】
本発明の画像読取装置は、レジストローラの原稿の傾きの修正によって原稿の主走査方向の位置がずれても、原稿の画像データを正確に形成できるように、レジストローラと原稿の読取位置の間にある位置検知位置で原稿の主走査方向の位置を検知し読取位置で原稿を読み取る。読取位置での原稿の読み取りに基づいて作成された画像データには、主走査方向の位置のずれにより原稿でない部分の画像データが含まれている。画像読取装置は、検知した主走査方向の位置に基づいて、作成された画像データから原稿以外の部分を削除して原稿の画像データを形成する。
【００１０】
画像読取装置の位置検知位置は、レジストローラと上記読取位置の間のうち、光学式ユニットが原稿Ｍと異なる色の部分を照射することができる位置である。位置検知位置にある光学式ユニットに照射される部分は、原稿と異なる色となっている。この位置検知位置を原稿が通過する際に光学式ユニットを照射することで、原稿の主走査方向の位置を検知することができる。位置検知位置の確保のため、従来の画像読取装置のプラテンカバーの上記読取位置と対向する位置に配置されている全面が白色の押さえ板の一部を黒色にした押さえ板を用いてもよい。この押さえ板を用いる場合、押さえ板の黒色の部分を搬送路の上流側にして全面が白色の押さえ板と同じ位置に配置することで、黒色の部分を位置検知位置として利用することができる。
【００１１】
上記光学式ユニットは、上記読取位置での原稿の読み取りにも使用される。そのため、上記光学式ユニットは、上記位置検知位置を原稿が通過する際に上記位置検知位置で照射すると、照射した原稿が上記読取位置に到達するまでに読取位置に移動しなければならない。
【００１２】
原稿より光学式ユニットを先に読取位置に到達させるための方法として、光学式ユニットの移動速度を原稿の搬送速度よりも速くしたり、光学式ユニットが上記読取位置に移動している間に原稿の搬送を一時停止させる方法等がある。
【００１３】
また、上記押さえ板を用いて上記位置検知位置を確保する場合、上記光学式ユニットが上記読取位置にいながら押さえ板の白色の白領域と黒色の黒領域を照射でき、白領域と黒領域を照射したそれぞれの光を受光する受光手段を画像読取装置が備えると、画像読取装置は、上記光学式ユニットを読取位置から動かさずに、原稿の主走査方向の位置の検知と原稿の読み取りができる。
【発明の効果】
【００１４】
レジストローラにおける原稿の傾きの修正後に原稿の主走査方向の位置を検知し、検知した位置に基づいて原稿の画像データの形成するので、原稿の画像データを正確に形成できる。
【００１５】
位置検知位置での照射の後、光学式ユニットを読取位置に移動させて照射させることで、従来原稿の読み取りにのみ使用されていた光学式ユニットで原稿の読み取りと原稿の主走査方向の位置を検知できるので、原稿の主走査方向の検知のための部品を画像読取装置は必要としない。
【００１６】
原稿より光学式ユニットを先に読取位置に到達させるために、上記光学式ユニットの移動速度を原稿の搬送速度より速くすると、光学式ユニットの移動による原稿の読み取りの生産性の低下を防ぐことができる。
【００１７】
また、原稿より光学式ユニットを先に読取位置に到達させるために、上記光学式ユニットが位置検知位置から読取位置に移動している間、原稿の搬送を一時停止させると、光学式ユニットの移動速度を高くしなくても、光学式ユニットを原稿よりも先に読取位置に移動させることができる。従って、画像読取装置の機械的な要因等で光学式ユニット移動速度の高速化に限度があっても、原稿より光学式ユニットを先に読取位置に到達させることができる。
【００１８】
位置検知位置の確保に、従来の画像読取装置に使用されていた押さえ板に白領域と黒領域を設けた押さえ板を用いることで、製造コストをかけることなく容易に位置検知位置を確保できる。
【００１９】
上記読取位置に白領域と黒領域を両方の領域を照射した光を同時に読み取ることができる構成とすることで、上記光学式ユニットを読取位置から動かさなくても、従来原稿の読み取りにのみ使用されていた１つの光学式ユニットで原稿の読み取りと原稿の主走査方向の位置を検知できる。
【発明を実施するための最良の形態】
【００２０】
（実施の形態１）
本発明の画像読取装置１００は、図１に示すように原稿台１０７に載置された原稿Ｍと、給紙台１０１に載置された原稿Ｍを読み取ることができる。画像読取装置１００は、ユーザからの指示を受け付ける図２に示す操作パネル２００を備えている。ユーザは、画像読取装置１００に原稿Ｍを読み取らせる指示を入力する場合、操作パネル２００に表示されるスタートキー２０１を押下する。
【００２１】
スタートキー２０１が押下されると、読取制御手段２０３は、原稿Ｍが上記給紙台１０１に載置されているかどうかを確認する。上記読取制御手段２０３は、上記給紙台１０１に原稿Ｍが載置されているかどうかの確認に載置検知手段２０２を用いる。この載置検知手段２０２は、上記給紙台１０１に載置された原稿Ｍが接触することで原稿Ｍの載置を検知するものや、載置された原稿Ｍで遮光される光センサ等である。
【００２２】
上記読取制御手段２０３は、スタートキー２０１が押下された時に、上記載置検知手段２０２によって原稿Ｍが上記給紙台１０１に載置されていることが確認できない場合は、第１の読取モードで原稿Ｍを読み取ることを決定する。載置されていることが確認できた場合は、上記読取制御手段２０３は、第２の読取モードで原稿Ｍを読み取ることを決定する。
【００２３】
例えば、第１の読取モードで原稿Ｍを読み取ることを決定すると、上記読取制御手段２０３は、光学式ユニット制御手段２０５に第１の読取モードでの読み取り指示を送る。
【００２４】
上記光学式ユニット制御手段２０５は、第１の読取モードでの読み取り指示が送られると、シェーディング補正に用いる値を得るために、上記原稿台１０７の下方に設けられた光学式ユニット１０５を用いてシェーディング補正に用いる値を得る。
【００２５】
上記光学式ユニット１０５は、ランプ１１０と第１の反射ミラー１１１を備える。上記光学式ユニット制御手段２０５は、シェーディング補正に用いる値を得るために、第１の読取モードでの読み取り指示が送られると、上記光学式ユニット１０５のランプ１１０を光学式ユニット１０５のホームポジションＨＰで点灯させる。
【００２６】
原稿台１０７の上面の上記ホームポジションＨＰの部分には、白基準板１０８が設けられている。従って、ランプ１１０から発せられた光は白基準板１０８を照射する。上記白基準板１０８を照射したランプ１１０から発せられた光は、図１に示すように、上記第１の反射ミラー１１１、第２の反射ミラー１１２、第３の反射ミラー１１３にて反射して、集光レンズ１１４を通って、光電変換手段１１５に受光される。光電変換手段１１５に受光された反射光は、電気信号となって上記画像処理手段２０７に入力される。上記画像処理手段２０７は、入力された電気信号に基づいてシェーディング補正に用いる白基準値を生成する。
【００２７】
上記光学式ユニット制御手段２０５は、上記ホームポジションＨＰでランプ１１０を点灯させてから所定時間経過後、上記光学式ユニット１０５を副走査方向に移動させながら、原稿台１０７の全体を下方から照射する。上記光学式ユニット制御手段２０５は、上記光学式ユニット１０５を移動させると同時に原稿Ｍの読取信号を出す。所定時間上記ホームポジションＨＰでランプ１１０を点灯させるのは、ランプ１１０の輝度が安定するのを待つためである。
【００２８】
上記ランプ１１０の長手方向の長さは、従来と同じように画像読取装置１００が読み取ることができる主走査方向の最大長さ以上となっている。そのため、ランプ１１０から発せられた光は、原稿Ｍだけでなく原稿台１０７の原稿Ｍが載置されていない部分を照射する。原稿台１０７の原稿Ｍの載置されていない部分を照射した光は、原稿台１０７を通過してプラテンカバー１０６を照射する。
【００２９】
上記原稿台１０７に載置された原稿Ｍや、プラテンカバー１０６を照射した光は、上記白基準板１０８を照射した光と同じように上記光電変換手段１１５にて電気信号に変換されて上記画像処理手段２０７に入力される。
【００３０】
上記画像処理手段２０７は、上記原稿Ｍの読取信号が出ている間に入力された電気信号を用いて画像データを形成する。画像データを形成すると、上記画像処理手段２０７は、上記白基準値を用いて、形成した画像データに対してシェーディング補正を施す。
【００３１】
シェーディング補正を施した画像データには、原稿Ｍとプラテンカバー１０６を照射した光によって形成されたものである。原稿Ｍの画像データを作成するために、上記画像処理手段２０７は、画像データからプラテンカバー１０６等の原稿Ｍ以外の部分を削除するようにしてもよい。
【００３２】
原稿Ｍ以外の部分を削除する方法については、既に製品化されている画像読取装置に採用されている方法等、公知の方法を用いることができる。
【００３３】
以上のようにして、第１の読取モードで原稿Ｍの読み取りが行われる。
【００３４】
また、上記読取制御手段２０３は、第２の読取モードで原稿Ｍの読み取りを行うことを決定すると、上記光学式ユニット制御手段２０５に第２の読取モードでの読み取り指示を送ると共に、搬送手段２０２に搬送指示を送る。
【００３５】
搬送指示が送られると、上記搬送手段２０２は、給紙台１０１に載置された原稿Ｍを搬送する給紙ローラ１２１や搬送ローラ１２２等を駆動する。給紙ローラ１２１や搬送ローラ１２２は、上記給紙台１０１に載置された原稿Ｍを１枚づつ搬送路の下流へと搬送する。
【００３６】
上記搬送路上の所定位置に、一次給紙検知手段２０８が設けられている。上記一次給紙検知手段２０８は、上記給紙ローラ１２１などによって原稿Ｍが搬送されているかどうかを検知する。上記給紙検知手段２０８は、搬送路上に搬送されている原稿Ｍが接触することで原稿Ｍの搬送を検知するようなものであっても、搬送された原稿Ｍで遮光される光センサ等を用いてもよい。
【００３７】
給紙台１０１から給紙ローラ１２１や搬送ローラ１２２にて搬送される時等、搬送中に図３（ａ）に示すように原稿Ｍの向きが傾くことがある。
【００３８】
搬送中に原稿Ｍが傾かないように、給紙台１０１には、通常、図示しない規制板が設けられている。この規制板は、給紙台１０１に載置された原稿Ｍを主走査方向の両側から挟んで、原稿の向きを整える。規制板に両側が挟まれた原稿Ｍを給紙ローラ１２１が給紙台１０１から給紙する場合は、原稿Ｍの傾きが発生し難い。
【００３９】
しかし、規制板が設けられていても、主走査方向の長さが異なる複数枚の原稿Ｍが給紙台１０１に載置された場合、主走査方向の長さが最大の原稿Ｍのみが規制板にて主走査方向の両側から挟まれ、他の原稿Ｍは主走査方向の両側から挟まれない。そのため、主走査方向の長さの異なる原稿Ｍが複数枚給紙台１０１に載置された場合は、給紙台１０１に規制板が設けられていても搬送中に原稿Ｍの傾きが発生することがある。
【００４０】
この向きの修正は、レジストローラ１３０によって行われる。このレジストローラ１３０は、図３（ａ）に示すような傾きを、図３（ｂ）に示すように、元の向きに修正する。上記レジストローラ１３０の修正によって、原稿Ｍの主走査方向の位置ｂ−ｂ´が、給紙台１０１に載置されていた時の原稿Ｍの主走査方向の位置ａ−ａ´からずれることがある。
【００４１】
上記レジストローラ１３０は、原稿Ｍが搬送されてくると、原稿Ｍの傾きを修正しつつ、レジストローラ１３０より下流にある第２の読取モードの読取位置Ｐａへ原稿Ｍを搬送する。
【００４２】
上記光学式ユニット制御手段２０５は、第２の読取モードでの読み取り指示が送られ、かつ上記一次給紙検知手段２０８から原稿Ｍが搬送されていることが通知されると、第１の読取モードでの読み取り指示が送られたときと同じように、シェーディング補正に用いる値を得る（図４、Ｓ４０１）。なお、上記光学式ユニット制御手段２０５は、第２の読取モードでの読み取りの指示が送られた時点で、シェーディング補正に用いる値を得るようにしてもよい。
【００４３】
上記光学式ユニット制御手段２０５は、ランプ１１０を点灯させてから所定時間経過すると、上記レジストローラ１３０と上記読取位置Ｐａの間にある位置検知位置Ｐｂにランプ１１０を点灯させたまま上記光学式ユニット１０５を移動させる（図４、Ｓ４０２）。
【００４４】
画像読取装置１００の上記位置検知位置Ｐｂとなる部分は、レジストローラ１３０と上記読取位置Ｐａの間のうち、光学式ユニット１０５が原稿Ｍと異なる色の部分を照射することができる位置であればよい。原稿Ｍと異なる色の部分を照射することができる位置であるのは、原稿Ｍが通過する際に、原稿Ｍが通過する位置と原稿Ｍが通過する位置よりも外側の位置が上記画像処理手段２０７にとって分かり易いようにするためである。
【００４５】
画像読取装置１００は、原稿Ｍが上記位置検知位置Ｐｂに搬送されたことを検知する搬送位置検知手段２０６を備える。上記搬送位置検知手段２０６にて上記位置検知位置Ｐｂに原稿Ｍが搬送されたことが検知されると、上記光学式ユニット制御手段２０５は、ランプ１１０を点灯させたまま上記光学式ユニット１０５を上記読取位置Ｐａに原稿の搬送速度より図５（ａ）に示すように、速い速度で移動させる（図４、Ｓ４０３→４０４）。このように、原稿Ｍの搬送速度より速い速度で上記光学式ユニット１０５を移動させることで、原稿Ｍが上記読取位置Ｐａに到達するまでに、光学式ユニット１０５を読取位置Ｐａに移動させることができる。
【００４６】
上記光学式ユニット制御手段２０５は、上記光学式ユニット１０５を読取位置Ｐａに移動させると、原稿Ｍの読取信号を出す。
【００４７】
上記光学式ユニット１０５は、上記搬送位置検知手段２０６が検知した原稿Ｍが読取位置Ｐａを通過する際に、当該原稿Ｍを照射する。ランプ１１０が上記読取位置Ｐａを通過する原稿Ｍを照射し易いようにするために、上記読取位置Ｐａと対向するプラテンカバー１０６の部分には原稿Ｍを原稿台１０７に近接して搬送させるための押さえ板１２３が設けられている。
【００４８】
上記位置検知位置Ｐｂ及び上記読取位置Ｐａでランプ１１０から発せられた光は、上記白基準板１０８を照射した光と同じように電気信号に変換されて画像処理手段２０７に入力される。
【００４９】
上記画像処理手段２０７は、上記搬送位置検知手段２０６によって原稿Ｍが位置検知位置Ｐｂに搬送されたことが検知された時に入力された電気信号に基づいて、原稿Ｍの主走査方向の位置を求める。例えば、上記画像処理手段２０７は、電気信号が示す値が原稿Ｍの色である領域が連続している領域と、上記位置検知位置Ｐｂの部分の色が連続している領域との境界を原稿Ｍの端部として認識する。上記画像処理手段２０７は、原稿Ｍの端部から原稿Ｍの主走査方向の位置を求める。
【００５０】
上記画像処理手段２０７は、原稿Ｍの読取信号が出ている時に入力された電気信号から画像データを形成する。画像データを形成すると、上記画像処理手段２０７は、形成した画像データに対して上記白基準値を用いてシェーディング補正を施す。
【００５１】
上記のようにランプ１１０の長手方向の長さは原稿Ｍの主走査方向よりも長いため、上記画像処理手段２０７に入力される電気信号には、押さえ板１２３を照射した光が変換された電気信号も含まれる。上記画像処理手段２０７は、上記で求めた原稿Ｍの主走査方向の位置に基づいて、シェーディング補正を施した画像データから押さえ板１２３を照射した光に基づいて形成された部分を削除する。
【００５２】
以上のように、レジストローラ１３０によって向きが修正された後の原稿Ｍの主走査方向の位置を用いて画像データから原稿Ｍでない不要な部分を削除することで、原稿Ｍの画像データを完全に形成することができる。
【００５３】
給紙台１０１に複数枚の原稿Ｍが載置されている場合、原稿Ｍが上記読取位置Ｐａを通過している時に、給紙ローラ１２１等によって次の原稿Ｍの一次給紙が行われていることがある。上記光学式ユニット制御手段２０５は、原稿Ｍが上記読取位置Ｐａを完全に通過し終えた時に、上記一次給紙検知手段２０８が、原稿Ｍの搬送を検知している場合、ランプ１１０を点灯させたまま、上記光学式ユニット１０５を上記位置検知位置Ｐｂに移動させる（図４、Ｓ４０５）。
【００５４】
一次給紙検知手段２０８が原稿Ｍの搬送を検知していない場合、上記光学式ユニット制御手段２０５は、ランプ１１０を消灯して、上記光学式ユニット１０５をホームポジションＨＰに戻す（図４、Ｓ４０５）。
【００５５】
上記のように、従来の画像読取装置１００において原稿Ｍの読み取りに用いられていた光学式ユニット１０５を原稿Ｍの主走査方向の位置の検知にも使用することで、原稿Ｍの主走査方向の位置の検知を行う機能を備えることによる画像読取装置１００の製造費の増大を抑えることができる。また、原稿Ｍの搬送速度よりも速い速度で上記光学式ユニットを位置検知位置Ｐｂから読取位置Ｐａに移動させることで、原稿Ｍの搬送速度を低下させなくても原稿Ｍの主走査方向の位置を検知することができる。そのため、上記光学式ユニットの移動による原稿Ｍの読み取りの生産性の低下を防ぐことができる。
【００５６】
（実施の形態２）
実施の形態１においては、図５（ａ）に示すように、上記光学式ユニット制御手段２０５は、原稿Ｍの搬送速度よりも速い速度で上記光学式ユニット１０５を移動させることで、原稿Ｍが上記読取位置Ｐａに到達する前に光学式ユニット１０５を読取位置Ｐａに移動させている。本発明では、上記読取位置Ｐａでの原稿Ｍの読み取りにも上記光学式ユニット１０５を用いるので、原稿Ｍが上記読取位置Ｐａに到達する前に光学式ユニット１０５を読取位置Ｐａに移動させなければならない。原稿Ｍが上記読取位置Ｐａに到達する前に光学式ユニット１０５を読取位置Ｐａに移動させる方法は、実施の形態１の方法に限定されない。
【００５７】
例えば、図５（ｂ）に示すように、上記搬送手段２０４は、上記搬送位置検知手段２０６が上記位置検知位置Ｐｂに原稿Ｍが搬送されたことを検知すると、原稿Ｍの搬送を一時停止する。上記光学式ユニット制御手段２０５は、実施の形態１のように、上記搬送位置検知手段２０６が上記位置検知位置Ｐｂに原稿Ｍが搬送されたことを検知すると、上記光学式ユニット１０５を読取位置Ｐａに移動させる。上記光学式ユニット１０５を読取位置Ｐａに移動させると、上記光学式ユニット制御手段２０５は、上記読取信号を出す。
【００５８】
読取信号が出ると、上記搬送手段２０４は、原稿Ｍの搬送を再開して、位置検知位置Ｐｂから読取位置Ｐａへと原稿Ｍを搬送する。
【００５９】
本実施の形態のように、原稿Ｍの搬送を一時停止させることで、光学式ユニット１０５の移動速度を高くしなくても、光学式ユニット１０５を原稿Ｍよりも先に読取位置Ｐａに移動させることができる。
【００６０】
上記では、上記搬送手段２０４は、上記位置検知位置Ｐｂに原稿Ｍが到達すると、原稿Ｍの搬送を一次停止させ、読取信号が出てから原稿Ｍの搬送を再開しているが、原稿の搬送を一次停止させたり、原稿Ｍの搬送を再開するタイミングは、限定されるものではない。
【００６１】
（実施の形態３）
画像処理装置１００に押さえ板１２３を用いて上記位置検知位置Ｐｂを確保してもよい。実施の形態１に記載したように、上記位置検知位置Ｐｂとなる部分は、光学式ユニット１０５が原稿Ｍと異なる色の部分を照射することができる位置であればよい。従来の画像処理装置１００に使用されている上記押さえ板１２３の表面は白色となっている。図６に示すように、押さえ板１２３の一方の表面を黒色にし、他方の表面を白色のままにする。表面が黒色となっている黒領域１２３ｂを搬送路の上流側に、表面が白色となっている白領域１２３ａを搬送路の下流側に向けて、従来と同じ位置に配置する。
【００６２】
このように押さえ板１２３の上流側の黒領域１２３ｂとなっている部分に対向する上記光学式ユニット１０５が移動することができる位置を上記位置検知位置Ｐｂとすることができる。
【００６３】
押さえ板１２３に白領域１２３ａと黒領域１２３ｂを設けた場合、白領域１２３ａと黒領域１２３ｂを連続させることで、位置検知位置Ｐｂと読取位置Ｐａを連続または近接させることができる。白領域１２３ａと黒領域１２３ｂが連続または近接している場合、上記光学式ユニット１０５が上記読取位置Ｐａにいながら白領域１２３ａと黒領域１２３ｂの両方を照射することが可能となる。
【００６４】
このように両方の領域を同時に照射できる構成にすると、上記光学式ユニット１０５を上記読取位置Ｐａから移動させなくても、両方の領域を照射できる。両方の領域を照射できる構成にすると、上記画像処理手段２０７は、上記光学式ユニットから白領域１２３ａに向けて発せられた光で画像データを作成し、黒領域１２３ｂに向けて発せられた光で原稿Ｍの主走査方向の位置を検知することができる。従って、原稿Ｍの画像データを作成するために必要な上記光学式ユニット制御手段２０５の動作は、上記読取制御手段２０３から第２の読取モードの指示を受けた時等の所定のタイミングでランプ１１０を点灯させ、一次給紙検知手段２０８が一次給紙を検知できなくなると、ランプ１１０を消灯させるだけとなる。従って、上記光学式ユニット１０５を移動させる必要がないので、図７に示すように、画像読取装置１００に上記搬送位置検知手段２０６は必要ない。
【００６５】
ただし、白領域１２３ａと黒領域１２３ｂの両方の領域を同時に照射するので、図８に示すように、両方の領域に向けて照射された光を受光することができる構成にしなければならない。従って、上記光電変換手段１１５は、白領域１２３ａに向けて発せられた光を受光する第１の受光手段７０１と、黒領域１２３ｂに向けて照射された光とを受光する第２の受光手段７０２を備える。なお、原稿Ｍの主走査方向の位置の検知の精度と、原稿Ｍの読み取りを正確に行うために、上記光電変換手段１１５は、第１の受光手段７０１と第２の受光手段７０２にて受光した光に対する感度を同一にしておくことが好ましい。
【図面の簡単な説明】
【００６６】
【図１】本発明の画像読取装置の要部概略図である。
【図２】実施の形態１及び２の画像読取装置のブロック図である。
【図３】原稿の傾き修正の際に生じる原稿の主走査方向の位置のずれを示した図である。
【図４】給紙台から搬送される原稿を読み取る際の光学式ユニットの動作の手順を示すフローチャートである。
【図５】光学式ユニットと原稿の搬送位置と時間の関係を示す図である。
【図６】白領域と黒領域が設けられた押さえ板を示す図である。
【図７】実施の形態３の画像読取装置のブロック図である。
【図８】実施の形態３における白領域と黒領域に向けて発せられた光の経路を示す図である。
【符号の説明】
【００６７】
１００  画像読取装置
１０１  給紙台
１０５  光学式ユニット
２０２  載置検知手段
２０５  光学式ユニット制御手段
２０６  搬送位置検知手段
２０７  画像処理手段
２１３  白基準板
７０１  第１の受光手段
７０２  第２の受光手段
Ｐａ  読取位置
Ｐｂ  位置検知位置
【図１】
2005184439.tif 000003
【図２】
2005184439.tif 000004
【図３】
2005184439.tif 000005
【図４】
2005184439.tif 000006
【図５】
2005184439.tif 000007
【図６】
2005184439.tif 000008
【図７】
2005184439.tif 000009
【図８】
2005184439.tif 000010